(57)【要約】      （修正有）【課題】空気を２度ろ過することで、室内に入ってくる空気中の微小粒子状物質を遮断させることができ、且つ電気不要、省エネでありエコでもあり、使用コストも削減できる多機能のちり煙霧防止網戸装置及び窓・ドアを提供する。【解決手段】サッシ１とサッシの上端に設けられた第１巻取軸とを包括し、第１巻取軸に窓ネット３が巻き付けられ、サッシの上端に第１巻取軸の軸線と平行になる第２巻取軸を設けており、第２巻取軸にろ材５が巻き付けられ、サッシに第１巻取軸と第２巻取軸の下方の外側に位置する第１ブラシストリップと第２ブラシストリップを各々設けており、第１ブラシストリップのブラシ部分が窓ネットの外側表面に密接し、第２ブラシストリップのブラシ部分がろ材の外側表面に密接し、窓ネットの下端に第１取っ手８を設け、ろ材の下端に第２取っ手９を設ける。【選択図】図１
0003204059.tif 000002
【実用新案登録請求の範囲】
【請求項１】
サッシ（１）とサッシ（１）の上端に設けられた第１巻取軸（２）とを包括し、前記第１巻取軸（２）に窓ネット（３）が巻き付けられるちり煙霧防止用網戸装置であって、前記サッシ（１）の上端に第１巻取軸（２）の軸線と平行になる第２巻取軸（４）を設けており、前記第２巻取軸（４）にろ材（５）が巻き付けられ、前記サッシ（１）に前記第１巻取軸（２）と前記第２巻取軸（４）の下方の外側に位置する第１ブラシストリップ（６）と第２ブラシストリップ（７）を各々設けており、前記第１ブラシストリップ（６）のブラシ部分が前記窓ネット（３）の外側表面に密接し、前記第２ブラシストリップ（７）のブラシ部分が前記ろ材（５）の外側表面に密接し、前記窓ネット（３）の下端に第１取っ手（８）を設けており、前記ろ材（５）の下端に第２取っ手（９）を設けることを特徴とするちり煙霧防止用網戸装置。
【請求項２】
前記サッシ（１）は、上部ケーシング（１０）と前記上部ケーシング（１０）の下端の左右両側に設けられる立柱（２０）とを含み、２本の立柱（２０）が対向する一側の側面で、且つ前記窓ネット（３）の両側位置の対応箇所に第１ガイドレール（１１）を設けており、２本の前記立柱（２０）が対向する一側の側面で、且つ前記ろ材（５）の両側位置の対応箇所に第２ガイドレール（１２）を設けており、前記上部ケーシング（１０）の下端に前記窓ネット（３）と前記ろ材（５）を引き出すための第１出口（１８）と第２出口（１３）を各々設けており、前記第１出口（１８）は前記第１ガイドレール（１１）に対応する場所に設けられ、前記第２出口（１３）が前記第２ガイドレール（１２）に対応する場所に設けられ、前記第１ブラシストリップ（６）が前記第１出口（１８）の外周縁上に設けられ、前記第２ブラシストリップ（７）が前記第２出口（１３）の外周縁上に設けられることを特徴とする請求項１に記載のちり煙霧防止用網戸装置。
【請求項３】
前記第１ブラシストリップ（６）は、２本あり、各々前記第１出口（１８）の両側周縁箇所に設けられることを特徴とする請求項２に記載のちり煙霧防止用網戸装置。
【請求項４】
前記第２ブラシストリップ（７）は、２本あり、各々前記第２出口（１３）の両側周縁箇所に設けられることを特徴とする請求項３に記載のちり煙霧防止用網戸装置。
【請求項５】
前記窓ネット（３）の下端と前記ろ材（５）の下端に各々第１支持部（１５）と第２支持部（１６）を設けており、前記第１支持部（１５）の両端が両側に設けられる第１ガイドレール（１１）の溝口部内に各々挿入され、前記第２支持部（１６）の両端が両側に設けられる第２ガイドレール（１２）の溝口部内に各々挿入されることを特徴とする請求項４に記載のちり煙霧防止用網戸装置。
【請求項６】
前記第１ガイドレール（１１）と前記第２ガイドレール（１２）の両側レール壁上に各々消音するためのパッキン（１９）を設けることを特徴とする請求項５に記載のちり煙霧防止用網戸装置。
【請求項７】
前記ろ材（５）は、ＨＥＰＡろ材とすることを特徴とする請求項６に記載のちり煙霧防止用網戸装置。
【請求項８】
前記ろ材（５）は、吸着タイプろ材で、前記第２取っ手（９）上に磁石クリップを設けることを特徴とする請求項1に記載のちり煙霧防止用網戸装置。
【請求項９】
ドア枠（２１）を含むドアであって、前記ドア枠（２１）上に請求項１乃至８のいずれか一項に記載のちり煙霧防止用網戸装置を設け、前記サッシ（１）がドア枠（２１）上に固定されることを特徴とするドア。
【請求項１０】
窓枠（１７）を含む窓であって、前記窓枠（１７）上に請求項１乃至８のいずれか一項に記載のちり煙霧防止用網戸装置を設け、前記サッシ（１）が窓枠（１７）上に固定されることを特徴とする窓。
【考案の詳細な説明】
【技術分野】
【０００１】
本考案は、防塵装置に関し、特に、ＰＭ２．５（微小粒子状物質）を遮断できる多機能のちり煙霧防止網戸装置及び該装置を備えた窓・ドアに関する。
【背景技術】
【０００２】
現在、環境汚染が日増しに酷くなり、多くの都市の市民は毎日ちり煙霧の多大な被害を受け、また日常の生活や仕事に直接影響している。また従来のフィルタ製品内の多くが空気清浄の清浄器で、室内で該清浄器をオンにした後、機器のフィルタを通過させ、ろ過後の空気を放出しているが、この種の製品の消費電力量が大きいという問題が存在し、且つ室内の窓・ドアを開けておかなければ、室内の換気効果も理想的なものにならない。
【考案の概要】
【考案が解決しようとする課題】
【０００３】
本考案の目的は、多機能のちり煙霧防止網戸装置及び窓・ドアを提供することであり、解决しようとする技術的課題は室内の換気効果を保証するという前提において、効果的にちり煙霧をろ過し、且つ省エネやエコで、使用コストを削減できることである。
【課題を解決するための手段】
【０００４】
本考案は、従来の技術に比べると、サッシ上に一層の窓ネットと一層のろ材を設け、空気を２度ろ過することで、室内に入ってくる空気中の微小粒子状物質を遮断させることができる。サッシ上に窓ネット及びろ材上の塵埃を清掃するためのブラシストリップを設け、毎回の使用前と使用後において窓ネット及びろ材の表面を掃除することで、塵埃が巻取軸内に巻き込まれた時、室内側の窓ネット及びろ材の清潔面が汚れるのを防止できることで、ちり煙霧が室内に入るのを防止し、且つ電気不要、省エネでありエコでもあり、使用コストも削減できる。
【図面の簡単な説明】
【０００５】
【図１】本考案の立体構造を示す模式図である。
【図２】本考案の実施例１の断面図である。
【図３】本考案の実施例２の断面図である。
【図４】本考案のパッキンを備えた構造を示す模式図である。
【図５】本考案のドアの構造を示す模式図である。
【図６】本考案の窓の構造を示す模式図である。
【考案を実施するための形態】
【０００６】
以下、添付図面と実施例を組み合わせて、本考案を更に詳細に説明する。
本考案において外側とは、室外に向かう一側を指し、内側とは室内に向かう一側を指す。
図１と図２に示すように、本考案のちり煙霧防止用網戸装置は、サッシ１を含み、該サッシ１が上部ケーシング１０を備え、上部ケーシング１０が矩形帯状で、その内部にチャンバを有し、上部ケーシング１０が横置き、上部ケーシング１０の下端面に各々第１出口１８、第２出口１３を設け、第１出口１８及び第２出口１３が上部ケーシング１０の長手方向に沿って設けられ、前記第１出口１８が上部ケーシング１０の下端面の外側に設けられ、第２出口１３が上部ケーシング１０の下端面の内側に設けられ、上部ケーシング１０の左右両側に各々立柱２０が設けられ、２本の立柱２０が対向する一側の側面上の第１出口１８に位置する箇所に各々第１ガイドレール１１を設け、第１ガイドレール１１の溝口部が第１出口１８と連通する。２本の立柱２０が対向する一側の側面上の第２出口１３に位置する箇所に各々第２ガイドレール１２を設け、第２ガイドレール１２の溝口部が第２出口１３と連通する。立柱２０の上端と上部ケーシング１０の下端面が固結される。立柱２０がドアのホール或いは窓のホールの高さによって対応の長さを取る。２本の立柱２０の下端の間にも必要性に応じて下枠１４を設けることで、サッシ１を１つの矩形枠体として形成させることができる。
【０００７】
上部ケーシング１０のチャンバ内、第１出口１８の上方に第１巻取軸２を設け、第１巻取軸２の両端は回転軸を通じて上部ケーシング１０の両端に固定され、第１巻取軸２の外周縁の延長線が第１出口１８内にあり、第１巻取軸２上に窓ネット３が巻き取られた状態に設け、窓ネット３の下端の左右両側が第１ガイドレール１１の溝口部内に設けられ、窓ネット３の下端に窓ネット３を支えるための棒状第１支持部１５を設け、第１支持部１５上に嵌込部を設け、窓ネット３の下端が該嵌込部内に嵌め込まれ、第１支持部１５の両端も両側の第１ガイドレール１１の溝口部内に挿入され、第１支持部１５に第１取っ手８を設け、窓ネット３が第１取っ手８を通じて引き下げた時、窓ネット３及び第１支持部１５が第１ガイドレール１１の案内を受けて下へ移動する。
【０００８】
上部ケーシング１０のチャンバ内、第２出口１３の上方に第２巻取軸４を設け、第２巻取軸４の両端は回転軸を通じて上部ケーシング１０の両端に固定され、第２巻取軸４の外周縁の延長線が第２出口１３内にあり、第２巻取軸４上にろ材５を巻き取られた状態に設け、ろ材５の下端の左右両側が第２ガイドレール１２の溝口部内に設けられ、ろ材５の下端にろ材５を支えるための棒状第２支持部１６を設け、第２支持部１６上に嵌込部を設け、ろ材５の下端が該嵌込部内に嵌め込まれ、第２支持部１６の両端も両側の第２ガイドレール１２の溝口部内に挿入され、第２支持部１６に第２取っ手９を設け、ろ材５が第２取っ手９を通じて引き下げた時、ろ材５及び第２支持部１６が第２ガイドレール１２の案内を受けて下へ移動する。
【０００９】
図２に示すように、サッシ１上に各々第１巻取軸２と第２巻取軸４の下方外側に位置する第１ブラシストリップ６と第２ブラシストリップ７を設ける。第１出口１８の外周縁箇所に第１出口１８の長手方向に沿う第１ブラシストリップ６を設け、第１ブラシストリップ６のブラシ部分が窓ネット３の外側面と密接し、窓ネット３を上下に移動させた時、ブラシ部分が窓ネット３上に付着した塵埃を清掃することができる。また第２出口１３の外周縁箇所に第２出口１３の長手方向に沿う第２ブラシストリップ７を設け、第２ブラシストリップ７のブラシ部分がろ材５の外側面と密接し、ろ材５を上下に移動させた時、ブラシ部分がろ材５外側表面上のちり煙霧を直ちに清掃することができる。
【００１０】
図３に示すように、実施例１との相違点は、第１ブラシストリップ６及び第２ブラシストリップ７分が各々２本設けられ、２本の第１ブラシストリップ６が各々第１出口１８の外周縁及び内周縁箇所に設けられる。第２ブラシストリップ７が各々第２出口１３の外周縁及び内周縁箇所に設けられ、こうすると窓ネット３及びろ材５上のちり煙霧をより一層清掃できる。
【００１１】
図４に示すように、第１ガイドレール１１と第２ガイドレール１２の両側のレール壁上に各々消音するためのパッキン１９が設けることで、支持部及び窓ネット３とろ材５とガイドレールの間における衝突及び摩擦の音を軽減できる。外側の第１層が金属網を採用して蚊を防止でき、ちり煙霧が著しい時、利用者は直ちにちり煙霧を防ぐ第２層ネットを引張り下げることで、第２層ネットの窓・ドアは利用者の窓・ドアのスタイルに応じて上下に引き、横引きも可能であり、自由にオーダーできる。
【００１２】
図５に示すように、本考案のドアは、扉開口部に取り付けるドア枠２１を含む。サッシ１は、ドア枠２１の内側に固定され、上部ケーシング１０がドア枠２１の内側上端に固定され、立柱２０がドア枠２１内側の左右両側に固定される。
【００１３】
図６に示すように、本考案の窓は、窓開口部に取り付ける窓枠１７を含む。サッシ１は、窓枠１７の内側に固定され、上部ケーシング１０が窓枠１７の内側の上端に固定され、立柱２０が窓枠１７内側の左右両側に固定される。
【産業上の利用可能性】
【００１４】
本考案のろ材５は、０．１マイクロメートルと０．３マイクロメートルのちり煙霧をろ過できるＨＥＰＡ（高効率エアフィルタ）のろ材が好適である。ろ材５も吸着タイプのろ材とすることができ、例えば二層磁石のような直接吸着タイプものであり、つまり第２取っ手９上に磁石クリップを設け、磁石クリップでちり煙霧防止用窓・ドアネットの材料を挟持する。利用者は自主的にちり煙霧のある日に貼上或いは取下第２層ちり煙霧防止用窓・ドアネットの挟持枠を取り付け又は取り外すことができる。従来の市場上のちり煙霧防止用窓・ドアが一層のみで、天気が非常によくちり煙霧が無く、ちり煙霧防止用網戸を使用すると、金属網の空気流動性より悪い。本考案は従来の一層のみ又は防虫網或いはちり煙霧防止用網戸を自由に選択できないという欠点を克服した。
【符号の説明】
【００１５】
１  サッシ
２  第１巻取軸
３  窓ネット
４  第２巻取軸
５  ろ材
６  第１ブラシストリップ
７  第２ブラシストリップ
８  第１取っ手
９  第２取っ手
１０  上部ケーシング
１１  第１ガイドレール
１２  第２ガイドレール
１３  第２出口
１４  下枠
１５  棒状第１支持部
１６  棒状第２支持部
１７  窓枠
１８  第１出口
１９  パッキン
２０  立柱
２１  ドア枠
【図１】
0003204059.tif 000003
【図２】
0003204059.tif 000004
【図３】
0003204059.tif 000005
【図４】
0003204059.tif 000006
【図５】
0003204059.tif 000007
【図６】
0003204059.tif 000008